(57)【特許請求の範囲】
【請求項１】
フィルム素材からなる一枚のフィルム積層体が折り畳まれ、その周縁部が結合手段により結合して形成され開封を容易にするためにレーザーを照射し、侵食レーザー線を設けた包装袋であって、
前記包装袋に開封を容易にするためにノッチ部が前記周縁部に左右１カ所ずつ対称になるように設け、
前記包装袋の表面或いは裏面のいずれか一方の面には左右のノッチ部の最も内側に位置する点を結んだ線を軸とし、その軸の上下に２本の主侵食レーザー線を対向する周縁部にわたってレーザー照射により設け、前記周縁部の左側のノッチ部を始点とし、前記２本の主侵食レーザー線間に斜め方向の複数の副侵食レーザー線からなる副侵食レーザー線群をレーザー照射により設け、さらに前記周縁部の右側のノッチ部を始点とし、前記２本の主侵食レーザー線間に斜め方向の副侵食レーザー線をレーザー照射により設け、
前記包装袋の他方の面には左右のノッチ部を結んだ主侵食レーザー線をレーザー照射により１以上設け、
前記左側ノッチ部または右側ノッチ部を始点として設ける副侵食レーザー線は、
第一の方向に設けられた複数の侵食線からなる侵食線群と第二の方向に設けられた複数の侵食線からなる他の侵食線群からなり、
第一の方向は右上がりの侵食線であり、第二の方向は右下がりである
または第一の方向は右下がりであり、第二の方向は右上がりである
ことを特徴とする包装袋。
【請求項２】
前記一方の面に設けた２本の主侵食レーザー線間に設ける副侵食レーザー線が、前記軸と１５°から７５°の角度または１６５°から１０５°の角度で交わるように設けることを特徴とする請求項１に記載の包装袋。
【請求項３】
前記一方の面に設けた２本の主侵食レーザー線間の間隔は２ｍｍから３０ｍｍであることを特徴とする請求項１または２に記載の包装袋。
【請求項４】
前記一方の面に設けられた２本の主侵食レーザー線は曲線であることを特徴とする請求項１乃至３に記載の包装袋。
【請求項５】
前記侵食線群のうち袋の内側に設けられる侵食線群の各侵食線は外側に位置する一端が主侵食レーザー線と接しないことを特徴とする請求項１乃至４に記載の包装袋。
【請求項６】
前記他方の面に設ける左右のノッチ部を結んだ主侵食レーザー線は曲線であることを特徴とする請求項１乃至５に記載の包装袋。
【請求項７】
前記他方の面に設ける左右のノッチ部を結んだ主侵食レーザー線は１乃至３本であることを特徴とする請求項１乃至６に記載の包装袋。
【請求項８】
前記結合手段が熱融着である請求項１乃至７に記載の包装袋。
【請求項９】
前記結合手段が接着剤である請求項１乃至８に記載の包装袋。
【請求項１０】
前記フィルム積層体がポリエチレンテレフタレート、アルミ箔及び直鎖状低密度ポリエチレンから構成される請求項１乃至９に記載の包装袋。
【請求項１１】
前記請求項１乃至１０に記載の包装袋に内容物を充填してなる包装体。
【請求項１２】
フィルム素材からなる一枚のフィルム積層体が折り畳まれ、その周縁部が結合手段により結合して形成された包装袋の開封を容易にするためにレーザーを照射し、侵食レーザー線を設ける方法であって、
前記包装袋に開封を容易にするためにノッチ部を前記周縁部に左右１カ所ずつ対称になるように設ける工程と、
前記包装袋の表面或いは裏面のいずれか一方の面には左右のノッチ部の最も内側に位置する点を結んだ線を軸とし、その軸の上下に２本の主侵食レーザー線を上下に対向する周縁部にわたってレーザー照射により設ける工程と、
前記周縁部の左右いずれかのノッチ部を始点とし、前記２本の主侵食レーザー線間に斜め方向の副侵食レーザー線をレーザー照射により設ける工程と、
前記包装袋の他方の面には左右のノッチ部を結んだ主侵食レーザー線をレーザー照射により１以上設ける工程と、を含み、
前記副侵食レーザー線を設ける工程は、
Ａ左のノッチ部を始点にレーザー照射により右下がりの複数の連続した侵食線と、複数の連続した右下がりの侵食線に続きレーザー照射により右上がりの複数の連続した侵食線を設け
右のノッチ部を始点にレーザー照射により左下がりの複数の連続した侵食線と、複数の連続した左下がりの侵食線に続きレーザー照射により左上がりの複数の連続した侵食線を設ける工程
Ｂ左のノッチ部を始点にレーザー照射により右下がりの複数の連続した侵食線と、複数の連続した右下がりの連続した侵食線に続きレーザー照射により右上がりの複数の侵食線を設け
右のノッチ部を始点にレーザー照射により左上がりの複数の連続した侵食線と、複数の連続した左上がりの侵食線に続きレーザー照射により左下がりの複数の連続した侵食線を設ける工程
Ｃ左のノッチ部を始点にレーザー照射により右上がりの複数の連続した侵食線と、複数の連続した右上がりの侵食線に続きレーザー照射により右下がりの複数の連続した侵食線を設け
右のノッチ部を始点にレーザー照射により左下がりの複数の連続した侵食線と、複数の連続した左下がりの侵食線に続きレーザー照射により左上がりの複数の連続した侵食線を設ける工程
Ｄ左のノッチ部を始点にレーザー照射により右上がりの複数の連続した侵食線と、複数の連続した右上がりの侵食線に続きレーザー照射により右下がりの複数の連続した侵食線を設け
右のノッチ部を始点にレーザー照射により左上がりの複数の連続した侵食線と、複数の連続した左上がりの侵食線に続きレーザー照射により左下がりの連続した複数の侵食線を設ける工程
のうちいずれか一つの工程により形成されることを特徴とする包装袋に侵食レーザー線を設ける方法。
【発明の詳細な説明】
【技術分野】
【０００１】
本発明は、レーザー加工を施すことで包装袋を容易に手で開封することができ、引き裂き線が表面と裏面で異なる高さの位置になることで表面と裏面のフィルム積層体の間に指を入れやすく開封し易いようにした包装袋及び該レーザー加工方法に関する。
【背景技術】
【０００２】
医薬品や食品などの包装袋を開封する場合には、はさみなどの刃物を用いて切断し開封するか、包装袋に設けられているノッチ部を始点として手で引き裂いて開封していた。
しかし手で開封する場合にまっすぐ切れないことや、途中までしか開けられないという問題があったためレーザー加工を施してハーフカット線を設けて解消する方法が知られている。
【０００３】
特許文献１には、表面側に上に凸形状を有する表面ハーフカット線ａと下に凸形状を有する表面ハーフカット線ｂを設け、裏面側に直線状のハーフカット線を設けた包装用袋が記載されている。
特許文献１に記載の発明は左右どちらの方向からでも開封でき、かつ表面と裏面切り口の段差ができるが、凸形状であるため表裏の引き裂き線の段差が大きい箇所と小さい箇所ができる。
【０００４】
特許文献２には、Ｖ字型ハーフカット溝が並列に刻設され、前記Ｖ字型のハーフカット溝の頂点を通るように連続した直線のハーフカット溝が刻設された易開封性包装袋が記載されている。
特許文献２に記載の発明はＶ字型溝に誘導され上下に切り口がずれ、最終的な引き裂き線がまっすぐではなく山と谷を繰り返したジグザグとしたいびつな形状になる。
【先行技術文献】
【特許文献】
【０００５】
【特許文献１】特開２０１４−４６９８５号公報
【特許文献２】特許第４７６００３０号公報
【発明の概要】
【発明が解決しようとする課題】
【０００６】
本発明は、上記したような従来技術の問題点を解決すべくなされたものであって、レーザー加工を表裏で変更することで引き裂いた後の切り口（引き裂き線）が表裏で段違いになりかつ一定した切り裂き線の形状になるため左右表裏を問わず容易に開封が可能である包装袋及びそのレーザー加工方法を提供する。
【課題を解決するための手段】
【０００７】
請求項１に係る発明は、フィルム素材からなる一枚のフィルム積層体が折り畳まれ、その周縁部が結合手段により結合して形成され開封を容易にするためにレーザーを照射し、侵食レーザー線を設けた包装袋であって、
前記包装袋に開封を容易にするためにノッチ部が前記周縁部に左右１カ所ずつ対称になるように設け、
前記包装袋の表面或いは裏面のいずれか一方の面には左右のノッチ部の最も内側に位置する点を結んだ線を軸とし、その軸の上下に２本の主侵食レーザー線を対向する周縁部にわたってレーザー照射により設け、前記周縁部の左側のノッチ部を始点とし、前記２本の主侵食レーザー線間に斜め方向の複数の副侵食レーザー線からなる副侵食レーザー線群をレーザー照射により設け、さらに前記周縁部の右側のノッチ部を始点とし、前記２本の主侵食レーザー線間に斜め方向の副侵食レーザー線をレーザー照射により設け、
前記包装袋の他方の面には左右のノッチ部を結んだ主侵食レーザー線をレーザー照射により１以上設け、
前記左側ノッチ部または右側ノッチ部を始点として設ける副侵食レーザー線は、
第一の方向に設けられた複数の侵食線からなる侵食線群と第二の方向に設けられた複数の侵食線からなる他の侵食線群からなり、
第一の方向は右上がりの侵食線であり、第二の方向は右下がりである
または第一の方向は右下がりであり、第二の方向は右上がりである
ことを特徴とする包装袋に関する。
【０００８】
請求項２に係る発明は、前記一方の面に設けた２本の主侵食レーザー線間に設ける副侵食レーザー線が、前記軸と１５°から７５°の角度または１６５°から１０５°の角度で交わるように設けることを特徴とする請求項１に記載の包装袋に関する。
【０００９】
請求項３に係る発明は、前記一方の面に設けた２本の主侵食レーザー線間の間隔は２ｍｍから３０ｍｍであることを特徴とする請求項１または２に記載の包装袋に関する。
【００１０】
請求項４に係る発明は、前記一方の面に設けられた２本の主侵食レーザー線は曲線であることを特徴とする請求項１乃至３に記載の包装袋に関する。
【００１１】
請求項５に係る発明は、前記侵食線群のうち袋の内側に設けられる侵食線群の各侵食線は外側に位置する一端が主侵食レーザー線と接しないことを特徴とする請求項１乃至４に記載の包装袋に関する。
【００１２】
請求項６に係る発明は、前記他方の面に設ける左右のノッチ部を結んだ主侵食レーザー線は曲線であることを特徴とする請求項１乃至５に記載の包装袋に関する。
【００１３】
請求項７に係る発明は、前記他方の面に設ける左右のノッチ部を結んだ主侵食レーザー線は１乃至３本であることを特徴とする請求項１乃至６に記載の包装袋に関する。
【００１４】
請求項８に係る発明は、前記結合手段が熱融着である請求項１乃至７に記載の包装袋に関する。
【００１５】
請求項９に係る発明は、前記結合手段が接着剤である請求項１乃至８に記載の包装袋に関する。
【００１６】
請求項１０に係る発明は、前記フィルム積層体がポリエチレンテレフタレート、アルミ箔及び直鎖状低密度ポリエチレンから構成される請求項１乃至９に記載の包装袋に関する。
【００１７】
請求項１１に係る発明は、前記請求項１乃至１０に記載の包装袋に内容物を充填してなる包装体に関する。
【００１８】
請求項１２に係る発明は、フィルム素材からなる一枚のフィルム積層体が折り畳まれ、その周縁部が結合手段により結合して形成された包装袋の開封を容易にするためにレーザーを照射し、侵食レーザー線を設ける方法であって、
前記包装袋に開封を容易にするためにノッチ部を前記周縁部に左右１カ所ずつ対称になるように設ける工程と、
前記包装袋の表面或いは裏面のいずれか一方の面には左右のノッチ部の最も内側に位置する点を結んだ線を軸とし、その軸の上下に２本の主侵食レーザー線を上下に対向する周縁部にわたってレーザー照射により設ける工程と、
前記周縁部の左右いずれかのノッチ部を始点とし、前記２本の主侵食レーザー線間に斜め方向の副侵食レーザー線をレーザー照射により設ける工程と、
前記包装袋の他方の面には左右のノッチ部を結んだ主侵食レーザー線をレーザー照射により１以上設ける工程と、を含み、
前記副侵食レーザー線を設ける工程は、
Ａ左のノッチ部を始点にレーザー照射により右下がりの複数の連続した侵食線と、複数の連続した右下がりの侵食線に続きレーザー照射により右上がりの複数の連続した侵食線を設け
右のノッチ部を始点にレーザー照射により左下がりの複数の連続した侵食線と、複数の連続した左下がりの侵食線に続きレーザー照射により左上がりの複数の連続した侵食線を設ける工程
Ｂ左のノッチ部を始点にレーザー照射により右下がりの複数の連続した侵食線と、複数の連続した右下がりの連続した侵食線に続きレーザー照射により右上がりの複数の侵食線を設け
右のノッチ部を始点にレーザー照射により左上がりの複数の連続した侵食線と、複数の連続した左上がりの侵食線に続きレーザー照射により左下がりの複数の連続した侵食線を設ける工程
Ｃ左のノッチ部を始点にレーザー照射により右上がりの複数の連続した侵食線と、複数の連続した右上がりの侵食線に続きレーザー照射により右下がりの複数の連続した侵食線を設け
右のノッチ部を始点にレーザー照射により左下がりの複数の連続した侵食線と、複数の連続した左下がりの侵食線に続きレーザー照射により左上がりの複数の連続した侵食線を設ける工程
Ｄ左のノッチ部を始点にレーザー照射により右上がりの複数の連続した侵食線と、複数の連続した右上がりの侵食線に続きレーザー照射により右下がりの複数の連続した侵食線を設け
右のノッチ部を始点にレーザー照射により左上がりの複数の連続した侵食線と、複数の連続した左上がりの侵食線に続きレーザー照射により左下がりの連続した複数の侵食線を設ける工程
のうちいずれか一つの工程により形成されることを特徴とする包装袋に侵食レーザー線を設ける方法に関する。
【発明の効果】
【００１９】
この出願に係る発明の包装袋は、一方の面に２本の主侵食レーザー線（１，２）と主侵食レーザー線間に斜めの副侵食レーザー線（４）を設け、他方の面に左右のノッチ部を結んだ主侵食レーザー線（３）を設けることで、初めは他方の面の主侵食レーザー線に誘導され表面と裏面が同じ引き裂き線を形成し、途中から副侵食レーザー線に誘導されることで、表面と裏面の引き裂き線が異なっていき、最後には一方の面に設けた２本の主侵食レーザー線のうちの一本に誘導されることで表面、裏面で段差がある引き裂き線を形成する。
一方の面に設ける２本の主侵食レーザー線（１，２）の線形は特に限定せず、例えば直線でも良く、曲線でも良い。
直線と曲線を組み合わせてもよく、凹形状や凸形状でも良い。
【００２０】
この出願に係る発明の包装袋の一方の面に設ける副侵食レーザー線（４）の角度は、左右のノッチ部の最も内側に位置する点を結んだ線と１５°から７５°または１６５°から１０５°の間で交わるように設けることで、引き裂き時の誤引き裂きの防止となり、また２本のレーザー侵食線（１，２）間は袋のサイズにより任意であるが２ｍｍより小さいと段差が小さくなり開封が行い難くなり、３０ｍｍより大きくなると、袋のサイズが大きくなりすぎ、誤引裂きが誘発されやすく、また経済性も良くない。
侵食線群のうち袋の内側に設けられる侵食線群の各侵食線は外側に位置する一端が主侵食レーザー線と接しないことで上方向に誘導された引き裂き線が下方向に、あるいは下方向に誘導された引き裂き線が上方向に誘導されるのを防ぐことができる。
【００２１】
この出願に係る発明の包装袋は、他方の面に主侵食レーザー線（３）を複数設けることで、フィルム積層体を折り畳んだときにずれが生じた場合でも、ノッチ部の最も内側に近い点を結ぶ線上に主侵食レーザー線を設けることができノッチ部から綺麗に切ることができる。
他方の面の主侵食レーザー線（３）の線形は特に限定せず、例えば直線でも良く、曲線でも良い。
直線と曲線を組み合わせてもよく、凹形状や凸形状でも良い。
この出願に係る発明の侵食レーザー線を設ける方法は、一方の面に２本の主侵食レーザー線（１，２）と主侵食レーザー線間に斜めの副侵食レーザー線（４）を設ける工程と、他方の面に左右のノッチ部を結んだ主侵食レーザー線（３）を設ける工程を備えており、
初めは他方の面の主侵食レーザー線に誘導され表面と裏面が同じ引き裂き線（切り口）を形成し、途中から副侵食レーザー線に誘導されることで、表面と裏面の引き裂き線が異なっていき、最後には一方の面に設けた２本の主侵食レーザー線のうちの一本に誘導されることで表面、裏面で段差がある引き裂き線を形成する。
【図面の簡単な説明】
【００２２】
【図１】この出願に係る発明のレーザー加工を施した包装袋の一例である。
【図２ａ】この出願に係る発明の一方の面の侵食レーザー線を示す図である。
【図２ｂ】この出願に係る発明の他方の面の侵食レーザー線を示す図である。
【図３】この出願に係る発明のレーザー加工を施した包装袋の図２ａのＡＡ線における断面図である。
【図４】この出願に係る発明のレーザー加工を施した包装袋の図２ａのＢＢ線における断面図である。
【図５】この出願に係る発明のレーザー加工を施した包装袋の図２ａのＣＣ線における断面図である。
【図６ａ】表面に２本の主侵食レーザー線を設けた場合の包装袋の表面と裏面の侵食レーザー線を示す図である。
【図６ｂ】表面に２本の主侵食レーザー線を設けた場合の包装袋の表面と裏面の引き裂き線を示す図であり、実線は表面の引き裂き線、破線は裏面の引き裂き線を表す。
【図６ｃ】表面に２本の主侵食レーザー線を設けた場合の包装袋の切断後の包装袋を示す図である。
【図７ａ】裏面に２本の主侵食レーザー線を設けた場合の包装袋の表面と裏面の侵食レーザー線を示す図である。
【図７ｂ】裏面に２本の主侵食レーザー線を設けた場合の包装袋の表面と裏面の引き裂き線を示す図であり、実線は表面の引き裂き線、破線は裏面の引き裂き線を表す。
【図７ｃ】裏面に２本の主侵食レーザー線を設けた場合の包装袋の切断後の包装容器を示す図である。
【図８ａ】一方の面の２本の主侵食線レーザー線が曲線である場合の一例を示す図である。
【図８ｂ】他方の面の主侵食レーザー線が曲線である場合の一例を示す図である。
【発明を実施するための形態】
【００２３】
以下、本発明にかかる好適な実施例を説明するが、本件発明は明細書、図面の内容に限定されない。また開封する者から見て手前にある包装袋の面を表面とする。
【００２４】
この出願に係る包装袋に用いるフィルム積層体は従来用いられているもので良く、食品や薬品などの内容物に合わせて適宜変更する。
積層体の例としては例えばポリエチレンテレフタレートや直鎖状低密度ポリエチレンといった合成樹脂フィルムを積層した積層体でもよく、例えばポリエチレンテレフタレート、アルミニウム箔及び直鎖状低密度ポリエチレンをドライラミネート加工して積層した積層体でも良い。
包装袋は開封後も包装袋の口を再び開閉できるように再開閉機構が設けられていてもよい。
【００２５】
この出願に係る包装袋はフィルム積層体を折り畳んで周縁部を結合手段で結合することで形成され、結合手段は熱融着や接着剤を用いることができるがこれらに限定されない。
包装袋に用いるノッチ部（５）の形状は従来用いられている形状でよく、例えば半円形状や多角形状でも良く、また線状の切り込みを入れてもよい。
ノッチ部（５）を設ける箇所は限定しないが、例えば包装袋の上端側に近い箇所で左右周縁部に１カ所ずつ設ける。
またノッチ部（５）はフィルム積層体を折り畳む前に設けてもよく、折り畳んだ後に設けても良い。
【００２６】
加工に用いるレーザーは炭酸ガス、ヘリウム・ネオン等の気体を媒質に用いた気体レーザーのほか固体レーザー、半導体レーザー、色素レーザーなどを用いることができる。
この発明においてレーザー加工してできた線を侵食レーザー線と呼ぶ。
【００２７】
図１はこの発明に係るレーザー加工を施した包装袋の一例を示す図である。
図２ａ、ｂは図１の一部拡大図である。
図１、図２に示すようにこの発明の包装袋は、一方の面に設ける侵食レーザー線は、まず左右のノッチ（５）の一番内側に位置する点を結んだ線を軸として上下対称になるよう主侵食レーザー線を２本設ける（１，２）。
次に副侵食レーザー線（４）は図１に示すように、左端のノッチを始点とすると
Ａ侵食線（４ａ）をレーザー照射により連続して複数設け、
Ｂ侵食線（４ｂ）をレーザー照射により連続して複数設け、
Ｃ侵食線（４ｃ）をレーザー照射により連続して複数設け、
Ｄ侵食線（４ｄ）をレーザー照射により連続して複数設けるという順で設けられる。
４ｂと４ｃの間に副侵食レーザー線を設けない箇所があってもよい。
包装袋の内側に設ける侵食線（４ｂ、４ｃ）の両端のうち、外側に位置する一端は主侵食レーザー線（１，２）とは接しない方が好ましい。
例えば侵食線（４ｂ）の場合は、斜め右上がりの侵食線の場合は下側主侵食線と、斜め右下がりの侵食線の場合は上側侵食線と交わらない方が好ましい。
侵食線（４ｃ）の場合は、斜め右上がりの侵食線の場合は上側主侵食線と、斜め右下がりの侵食線の場合は下側侵食線と交わらない方が好ましい。
これは外側に設ける侵食線によって上方向に誘導された引き裂き線が下方向に、あるいは下方向に誘導された引き裂き線が上方向に誘導されるのを防ぐためである。
侵食線（４ａ、４ｂ、４ｃ、４ｄ）は斜め右上方向（斜め左下方向）、斜め右下方向（斜め左上方向）のいずれか一方向で設け、４ａと４ｂ、４ｃと４ｄは異なる方向で作成する。
主侵食レーザー線（１，２）は互いに平行でなくともよく、上下対称でなくてもよい。
主侵食レーザー線（１，２）の線形は特に限定せず、例えば直線であってもよく、曲線であってもよい。
例えば直線と曲線を組みあわせてもよく凸形状や凹形状であっても良い。
【００２８】
主侵食レーザー線（１，２，３）及び副侵食レーザー線（４）はフィルム積層体を折り畳む前に照射し設けてもよい。
一方の面に設ける主侵食レーザー線（１，２）と他方の面に設ける主侵食レーザー線（３）は直線、曲線などに任意の線形で設けてもよい。
また一方の面に設ける主侵食レーザー線（１，２）と他方の面に設ける主侵食レーザー線（３）は同じ線形であってもよく、異なった線形でもよい。
副侵食レーザー線（４）は直線で設けてもよく、曲線で設けてもよく、設ける本数や侵食線の間隔は特に限定しない。
副侵食レーザー線（４）を設ける角度は直線の場合は主侵食レーザー線（１，２）と交わる角度が１５°から７５°または１６５°から１０５°好ましくは３０°から６０°または１５０°から１２０°がよい。
曲線の場合は副侵食レーザー線（４）と主侵食レーザー線（１，２）が交わってできる弧の中心角が１５°から７５°または１６５°から１０５°好ましくは３０°から６０°または１５０°から１２０°がよい。
侵食線（４ａ、４ｂ、４ｃ、４ｄ）を設ける角度は全て同じでも良く、違っていてもよい。
また侵食線４は左右同じように設けてもよく、異なっていてもよい。
また包装袋の抵抗力が少なく開けるのに必要となる力を少なくできるという観点から侵食レーザー線は破線にしてもよい。
【００２９】
この発明の包装袋の他方の面には周縁部の左右のノッチ部（５）を結ぶように主侵食レーザー線（３）を設ける。
主侵食レーザー線（３）は左右のノッチ部（５）の最も内側にある一点を結ぶように侵食レーザー線を設けることでスムーズに引き裂いて開けることが可能となる。
他方の面に設ける主侵食レーザー線は１本でもよいが、主侵食レーザー線を設けてからフィルム素材を積層構造にした一枚のフィルム積層体を折り畳んだ後ノッチ部を設ける場合に、２本以上設けることで折り畳んだ際に左右のノッチ部の最も内側にある点からずれることを防ぐことができる。
図３から図５にこの発明のレーザー加工を施した包装袋の断面図を例示するが、侵食レーザー線の深さや形状は図に限定されない。
【００３０】
図６ａのように表面に主侵食レーザー線（１，２）と副侵食レーザー線（４）を、裏面に主侵食レーザー線（３）を設け左から右に引き裂く場合について説明する。
図６ｂの実線は表面の引き裂き線、破線は裏面の引き裂き線を表す。
表面は最初裏面の主侵食レーザー線（３）に誘導され包装袋上縁部と平行な引き裂き線となる。
次にある点で右下がりの侵食線に誘導され斜め右下方向の引き裂き線を形成する。
そして斜め右下方向の侵食線と下側主侵食レーザー線（２）と交差する点に達したところで、下側主侵食レーザー線（２）に誘導されて包装袋上縁部と平行な引き裂き線となる
裏面は主侵食レーザー線（３）に誘導され左右のノッチ部（５）を結ぶような引き裂き線となる。
そうすると表面の引き裂き線は最初裏面と同じであるが、途中から侵食線により右下がりに誘導され下側主侵食レーザー線（２）に移動し、下側侵食レーザー線（２）に沿った引き裂き線となるため裏面の引き裂き線より下方に位置し、表面と裏面の引き裂き線に段差ができるため（図６ｃ）袋を開ける際に表面と裏面の隙間に指を挿入し易く開封し易くなる。
【００３１】
図７（ａ）のように、表面に主侵食レーザー線（３）を、裏面に主侵食レーザー線（１，２）と副侵食レーザー線（４）を設け左から右に引き裂く場合について説明する。
図７（ｂ）の実線は表面の引き裂き線、破線は裏面の引き裂き線を表す。
裏面の引き裂き線は最初表面の主侵食レーザー線（３）に沿って上縁部と平行な引き裂き線、裏面の引き裂き線は表面に阻害されるため表面の引き裂き線と同じ位置か上側にしかできないため、右斜め下の侵食線には誘導されず、斜め右上がりの侵食線に沿って右斜め上方向の引き裂き線となる。
斜め右上方向の侵食線と上側侵食レーザー線（１）と交差する点に達したところで、上側主侵食レーザー線（１）に沿って包装袋上縁部と平行な引き裂き線となる。
表面は主侵食レーザー線（３）に誘導され左右のノッチ部（５）を結ぶような引き裂き線となる。
そうすると裏面の引き裂き線は最初表面と同じであるが、途中から斜め右上がりの侵食線（４）に誘導され上側主侵食レーザー線（１）に移動し、上側主侵食レーザー線（１）に沿った引き裂き線となるため表面の引き裂き線より上方に位置し、表面と裏面の引き裂き線に段差ができるため（図７ｃ）袋を開ける際に表面と裏面の隙間に指を挿入し易く開封し易くなる。
【００３２】
表面に２本の主侵食レーザー線（１，２）と副侵食レーザー線（４）を、裏面に主侵食レーザー線（３）を設け右から左に引き裂く場合について説明する。
表面の引き裂き線は最初裏面の主侵食レーザー線（３）に誘導され包装袋の上縁部と平行な引き裂き線となり、裏面のフィルムの引き裂かれた上部が抵抗となるため斜め右下方向の侵食線に誘導されず、左斜め上方向の侵食線に誘導され斜め左上方向の引き裂き線となる。
斜め左上方向の侵食線と上側主侵食レーザー線（１）と交差する点に達したところで、上側主侵食レーザー線（１）に誘導されて、包装袋上縁部と平行な引き裂き線となる。
裏面は主侵食レーザー線（３）に誘導され左右のノッチ部を結ぶような引き裂き線となる。
そうすると表面の引き裂き線は最初裏面と同じであるが、途中から左斜め上方向の侵食線に誘導され上側侵食レーザー線（１）に移動し、上側侵食レーザー線（１）に沿った引き裂き線となるため裏面の引き裂き線より上方に位置し、段差ができるため袋を開ける際に表面と裏面の隙間に指を挿入し易く開封し易くなる。
【００３３】
表面に主侵食レーザー線（３）を設け、裏面に２本の主侵食レーザー線（１，２）と副侵食レーザー線（４）を設け右から左に引き裂く場合について説明する。
裏面の引き裂き線は最初表面の主侵食レーザー線（３）に誘導され包装袋の上縁部と平行な引き裂き線となる。
次にある点で左下がりの侵食線に誘導され斜め左下方向の引き裂き線となる。
そして斜め左下方向の侵食線と下側主侵食レーザー線（２）と交差する点に達したところで、下側主侵食レーザー線（２）に沿って誘導され包装袋の上縁部と平行な引き裂き線となる。
表面は主侵食レーザー線（３）に誘導され包装袋の上縁部と平行な引き裂き線となる。
そうすると表面の引き裂き線は最初裏面と同じであるが、途中から下側主侵食レーザー線（２）に沿った引き裂き線となるため裏面の引き裂き線より下方に位置し段差ができるため、袋を開ける際に表面と裏面の隙間に指を挿入し易く開封し易くなる。
【００３４】
図６、図７に図示した場合以外で侵食線を設けた場合の引き裂き線について説明する。
左側ノッチ部を始点とし連続した右上がりの侵食線と、連続した右上がりの侵食線に続き連続した右下がりの侵食線を複数設け、右側ノッチ部を始点として連続した左上がりの侵食線と、連続した左上がりの侵食線に続き連続した左下がりの侵食線を連続して設けた場合を考える。
表面に主侵食レーザー線（３）を設け、裏面に２本の主侵食レーザー線（１，２）と副侵食レーザー線（４）を設けた場合に左から右に切ると裏面は最初表面の主侵食レーザー線（３）に誘導され上縁部と平行な引き裂き線となり、やがて右上がりの侵食線に誘導されて上側侵食レーザー線（１）と同じ引き裂き線となる。
表面は主侵食レーザー線（３）に誘導され包装袋上縁部と平行な引き裂き線となる。
そのため表面の引き裂き線が裏面の引き裂き線より下方に位置し、表裏の引き裂き線に段差ができるため袋を開ける際に表面と裏面の隙間に指を挿入し易く開封し易くなる。
右から左に切る場合、裏面は最初表面の主侵食レーザー線（３）に誘導され上縁部と平行な引き裂き線となり、表面のフィルムが抵抗となり左上がりの侵食線に誘導されず、左下がりの侵食線に誘導されて下側侵食レーザー線（２）と同じ引き裂き線となる。
表面は主侵食レーザー線（３）に誘導され包装袋上縁部と平行な引き裂き線となる。
そのため表面の引き裂き線が裏面の引き裂き線より上方に位置し、表裏で引き裂き線に段差ができるため袋を開ける際に表面と裏面の隙間に指を挿入し易く開封し易くなる。
【００３５】
表面に２本の主侵食レーザー線（１，２）と副侵食レーザー線（４）を設け、裏面に主侵食レーザー線（３）を設けた場合に左から右に切ると表面は最初裏面の主侵食レーザー線（３）に誘導され上端部と平行な引き裂き線となり、裏面のフィルムが抵抗となり左上がりの侵食線に誘導されず、左下がりの侵食線に誘導されて下側侵食レーザー線（２）と同じ引き裂き線となる。裏面は主侵食レーザー線（３）に誘導され包装袋上縁部と平行な引き裂き線となる。
そのため表面の引き裂き線が裏面の引き裂き線より下方に位置し、表裏で引き裂き線に段差ができるため袋を開ける際に表面と裏面の隙間に指を挿入し易く開封し易くなる。
右から左に切る場合は最初裏面の主侵食レーザー線（３）に誘導され上縁部と平行な引き裂き線となるが、途中から左上がりの侵食線に誘導されて上側侵食レーザー線（１）と同じ引き裂き線となる。
裏面は主侵食レーザー線（３）に誘導され包装袋上縁部と平行な引き裂き線となる。
そのため表面の引き裂き線が裏面の引き裂き線より上方に位置し、表裏で引き裂き線に段差ができるため袋を開ける際に表面と裏面の隙間に指を挿入し易く開封し易くなる。
【００３６】
上記の実施例は左右で設ける侵食線が同じである場合を説明したが、左右で異なっていてもよい。
【００３７】
左側ノッチ部を始点として右斜め上方向の連続した侵食線群を設け、右斜め上方向の連続した侵食線群に続き右斜め下方向の連続した侵食線を設け、右側ノッチ部を始点として左斜め下方向の連続した侵食線群を設け、左斜め下方向の侵食線群に続き左斜め上方向の侵食線群を設けた場合について説明する。
表面に２本の主侵食レーザー線（１，２）と副侵食レーザー線（４）を設け、裏面に主侵食レーザー線（３）を設けた場合に左から右に切ると表面は最初裏面の主侵食レーザー線（３）に誘導され上端部と平行な引き裂き線となり、裏面のフィルムが抵抗となり右上がりの侵食線に誘導されず、右下がりの侵食線に誘導されて下側侵食レーザー線（２）と同じ引き裂き線となる。裏面は主侵食レーザー線（３）に誘導され包装袋上縁部と平行な引き裂き線となる。
そのため表面の引き裂き線が裏面の引き裂き線より下方に位置し、表裏で引き裂き線に段差ができるため袋を開ける際に表面と裏面の隙間に指を挿入し易く開封し易くなる。
表面に２本の主侵食レーザー線（１，２）と副侵食レーザー線（４）を、裏面に主侵食レーザー線（３）を設け右から左に引き裂く場合について説明する。
表面の引き裂き線は最初裏面の主侵食レーザー線（３）に誘導され包装容器の上縁部と平行な引き裂き線となり、裏面のフィルムの引き裂かれた上部が抵抗となるため斜め左下方向の侵食線（４）に誘導されず、左斜め上方向の侵食線（４）に誘導され斜め左上方向の引き裂き線となる。
斜め左上方向の侵食線と上側主侵食レーザー線（１）と交差する点に達したところで、上側主侵食レーザー線（１）に誘導されて、包装袋上縁部と平行な引き裂き線となる。
裏面は主侵食レーザー線（３）に誘導され左右のノッチ部を結ぶような引き裂き線となる。
そうすると表面の引き裂き線は最初裏面と同じであるが、途中から左斜め上方向の侵食線に誘導され上側侵食レーザー線（１）に移動し、上側侵食レーザー線（１）に沿った引き裂き線となるため裏面の引き裂き線より上方に位置し、段差ができるため袋を開ける際に表面と裏面の隙間に指を挿入し易く開封し易くなる。
【００３８】
表面に主侵食レーザー線（３）を設け、裏面に２本の主侵食レーザー線（１，２）と副侵食レーザー線（４）を設けた場合に左から右に切ると裏面は最初表面の主侵食レーザー線（３）に誘導され上端部と平行な引き裂き線となり、やがて右上がりの侵食線に誘導されて上側侵食レーザー線（１）と同じ引き裂き線となる。
表面は主侵食レーザー線（３）に誘導され包装袋上縁部と平行な引き裂き線となる。
そのため表面の引き裂き線が裏面の引き裂き線より下方に位置し、表裏で引き裂き線に段差ができるため袋を開ける際に表面と裏面の隙間に指を挿入し易く開封し易くなる。
表面に主侵食レーザー線（３）を設け、裏面に２本の主侵食レーザー線（１，２）、副侵食レーザー線（４）を設け右から左に引き裂く場合について説明する。
裏面の引き裂き線は最初表面の主侵食レーザー線（３）に誘導され包装袋の上縁部と平行な引き裂き線となる。
次にある点で左下がりの侵食線に誘導され斜め左下方向の引き裂き線となる。
そして斜め左下方向の侵食線と下側主侵食レーザー線（２）と交差する点に達したところで、下側主侵食レーザー線（２）に沿って誘導され包装袋の上縁部と平行な引き裂き線となる。
表面は主侵食レーザー線（３）に誘導され包装袋の上縁部と平行な引き裂き線となる。
そうすると裏面の引き裂き線は最初表面と同じであるが、途中から下側主侵食レーザー線（２）に沿った引き裂き線となるため表面の引き裂き線より下方に位置し段差ができるため、袋を開ける際に表面と裏面の隙間に指を挿入し易く開封し易くなる。
【００３９】
左側ノッチ部を始点として右斜め下方向の連続した侵食線群を設け、右斜め下方向の連続した侵食線群に続き右斜め上方向の連続した侵食線を設け、右側ノッチ部を始点として左斜め上方向の連続した侵食線群を設け、左斜め上方向の侵食線群に続き左斜め下方向の侵食線群を設けた場合について説明する。
表面に主侵食レーザー線（１，２）と副侵食レーザー線（４）を、裏面に主侵食レーザー線（３）を設け左から右に引き裂く場合について説明する。
表面は最初裏面の主侵食レーザー線（３）に誘導され包装袋上縁部と平行な引き裂き線となる。
次にある点で右下がりの侵食線に誘導され斜め右下方向の引き裂き線を形成する。
そして斜め右下方向の侵食線と下側主侵食レーザー線（２）と交差する点に達したところで、下側主侵食レーザー線（２）に誘導されて包装袋上縁部と平行な引き裂き線となる
裏面は主侵食レーザー線（３）に誘導され左右のノッチ部を結ぶような引き裂き線となる。
そうすると表面の引き裂き線は最初裏面と同じであるが、途中から侵食線により右下がりに誘導され下側主侵食レーザー線（２）に移動し、下側侵食レーザー線（２）に沿った引き裂き線となるため裏面の引き裂き線より下方に位置し、表面と裏面の引き裂き線に段差ができるため袋を開ける際に表面と裏面の隙間に指を挿入し易く開封し易くなる。
【００４０】
右から左に切る場合は最初裏面の主侵食レーザー線（３）に誘導され上縁部と平行な引き裂き線となるが、途中から左上がりの侵食線に誘導されて上側侵食レーザー線（１）と同じ引き裂き線となる。
表面は主侵食レーザー線（３）に誘導され包装袋上縁部と平行な引き裂き線となる。
そのため表面の引き裂き線が裏面の引き裂き線より上方に位置し、表裏で引き裂き線に段差ができるため袋を開ける際に表面と裏面の隙間に指を挿入し易く開封し易くなる。
【００４１】
表面に主侵食レーザー線（３）を、裏面に主侵食レーザー線（１，２）と副侵食レーザー線（４）を設け左から右に引き裂く場合について説明する。
裏面の引き裂き線は最初表面の主侵食レーザー線（３）に沿って上縁部と平行な引き裂き線となり、裏面の引き裂き線は表面に阻害されるため表面の引き裂き線と同じ位置か上側にしかできないため、右斜め下方向の侵食線には誘導されず、斜め右上がりの侵食線に沿って右斜め上方向の引き裂き線となる。
斜め右上方向の侵食線と上側侵食レーザー線（１）と交差する点に達したところで、上側主侵食レーザー線（１）に沿って包装袋上縁部と平行な引き裂き線となる。
表面は主侵食レーザー線（３）に誘導され左右のノッチ部（５）を結ぶような引き裂き線となる。
そうすると裏面の引き裂き線は最初表面と同じであるが、途中から斜め右上がりの侵食線に誘導され上側主侵食レーザー線（１）に移動し、上側主侵食レーザー線（１）に沿った引き裂き線となるため表面の引き裂き線より上方に位置し、表面と裏面の引き裂き線に段差ができるため袋を開ける際に表面と裏面の隙間に指を挿入し易く開封し易くなる。
【００４２】
右から左に切る場合は最初表面の主侵食レーザー線（３）に誘導され上端部と平行な引き裂き線となり、表面のフィルムが抵抗となり左上がりの侵食線に誘導されず、左下がりの侵食線に誘導されて下側侵食レーザー線（２）と同じ引き裂き線となる。
表面は主侵食レーザー線（３）に誘導され包装袋上縁部と平行な引き裂き線となる。
そのため表面の引き裂き線が裏面の引き裂き線より上方に位置し、表裏で引き裂き線に段差ができるため袋を開ける際に表面と裏面の隙間に指を挿入し易く開封し易くなる。
【００４３】
以上のように左右どちらの方向からでも切ることができ、また表面に副侵食レーザー線（４）を設けた場合でも裏面に副侵食レーザー線（４）を設けた場合でも切ることができるため開封する者が表裏をひっくり返した場合でも容易に引き裂くことができる。
【００４４】
図８ａは主侵食レーザー線（１，２）が曲線の場合、８ｂは主侵食レーザー線（３）が曲線の場合の一例をしめす。
引き裂き線は前述の実施例で説明した通り形成されていき、引き裂き線の形状は中央付近で弧を描く凸形状となる。
主侵食レーザー線（１，２、３）は一方の面と他方の面で形状が異なっていてもよく同じであってもよい。
例えば一方の面の主侵食レーザー線（１，２）が直線で他方の面の主侵食レーザー線（３）が曲線の場合、他方の面に形成された引き裂き線は弧を描き同一平面上でも段差ができるためフィルムがつまみやすくなりさらに包装袋が開封し易くなる。
【００４５】
本発明の包装体に充填する中味は薬剤や食品等何でもよく、固形、液体などの状態は問わない。
【産業上の利用可能性】
【００４６】
この発明に係る包装袋は食品、医薬品などを封入することができる。またフィルム積層体の素材及び厚み、侵食レーザー線の長さ及び深さ、線の種類によって引き裂き易さを調節することができる。
また左右どちらからも切り裂くことができ、利き手に関係なく簡単に開けることが可能となる。
【符号の説明】
【００４７】
１  上側主侵食レーザー線
２  下側主侵食レーザー線
３  主侵食レーザー線
４  副侵食レーザー線
５  ノッチ部
６  接着面
【図１】
0006557152.tif 000002
【図２ａ】
0006557152.tif 000003
【図２ｂ】
0006557152.tif 000004
【図３】
0006557152.tif 000005
【図４】
0006557152.tif 000006
【図５】
0006557152.tif 000007
【図６ａ】
0006557152.tif 000008
【図６ｂ】
0006557152.tif 000009
【図６ｃ】
0006557152.tif 000010
【図７ａ】
0006557152.tif 000011
【図７ｂ】
0006557152.tif 000012
【図７ｃ】
0006557152.tif 000013
【図８ａ】
0006557152.tif 000014
【図８ｂ】
0006557152.tif 000015